(57)【要約】【課題】  農作物、物品、人体等を害獣の被害からより効果的に守る害獣威嚇装置を提供する。【解決手段】  ２個のＬＥＤ素子１１、１１が所定間隔で対となった発光部１と、警報を発生する表音部７と、前記発光部１および表音部７の電源となる電源部５と、支柱４Ａ、４Ｂ間に張架してあって前記電源部５の電力を送電する電源ケーブル２と、電力を送電しかつ前記発光部１を吊り下げる吊り具３と、害獣の接近を検出するセンサ６と、前記センサ６からの信号にもとづいて前記発光部１への通電を制御する制御回路部１０とを備え、前記センサ６により害獣の接近を検出した際に前記発光部１を点灯させて生き物の目のように錯誤または錯覚させるとともに表音部７を作動させて警報を発声させて害獣を威嚇する。【選択図】図１
2008092937.tif 000002
【特許請求の範囲】
【請求項１】
２個のＬＥＤ素子が所定間隔で対となった発光部と、前記発光部の電源となる電源部と、支柱間に張架してあって前記電源部の電力を送電する電源ケーブルと、電力を送電しかつ前記発光部を吊り下げる吊り具と、害獣の接近を検出するセンサと、前記センサからの信号にもとづいて前記発光部への通電を制御する制御回路部とを備え、害獣の接近を前記センサにより検出した際に前記発光部を点灯させて害獣を威嚇することを特徴とする害獣威嚇装置。
【請求項２】
２個のＬＥＤ素子が所定間隔で対となった発光部と、警報を発生する表音部と、前記発光部および表音部の電源となる電源部と、支柱間に張架してあって前記電源部の電力を送電する電源ケーブルと、電力を送電しかつ前記発光部を吊り下げる吊り具と、害獣の接近を検出するセンサと、前記センサからの信号にもとづいて前記発光部への通電を制御する制御回路部とを備え、害獣の接近を前記センサにより検出した際に前記発光部を点灯させるとともに表音部を作動させて警報を発声させて害獣を威嚇することを特徴とする害獣威嚇装置。
【請求項３】
前記発光部を害獣に対してＬＥＤ素子を３０ｍｍから４０ｍｍ間隔で対として生き物の目と錯誤させるようにすることを特徴とする請求項１または請求項２記載の害獣威嚇装置。
【請求項４】
前記発光部を複数個とし、各発光部が４００ｍｍ〜８００ｍｍ間隔で吊り具を介して吊り下げて生き物の目と錯誤させるようにすることを特徴とする請求項１乃至請求項３の何れかひとつに記載の害獣威嚇装置。
【請求項５】
前記センサを赤外線センサで構成し発光部の少なくともひとつに設けてなることを特徴とする請求項１乃至請求項４の何れかひとつに記載の害獣威嚇装置。
【発明の詳細な説明】
【技術分野】
【０００１】  本発明は、猪や鹿等の害獣に対する威嚇装置に関する。
【背景技術】
【０００２】  猪や鹿等の害獣が果樹園や田畑を荒らしたり家屋内等に侵入することを防いで、農作物、物品、人体等を害獣の被害から守るためのより効果的な装置が望まれている。【０００３】  特許文献１のように広い範囲にわたってもぐらや鳥、猪などが田畑に侵入するのを防止する鳥獣の忌避撃退装置を提供するために、地面に立設される支柱部材に振子部材と羽根部材を糸体で吊り下げられた状態に構成し、羽根部材が風を受けて自在に揺動すると、振子部材が支柱部材の縦筒部材の内面を叩きその衝撃により発生する振動音を地中に伝搬させて、もぐらや鳥、猪等の鳥獣を脅して撃退する。さらに、羽根部材の蛍光塗料の塗布で構成される発光部で蓄光作用により夜間きらきら光らせて、猪や鹿等の夜行性動物の撃退を行う。【０００４】  特許文献２のように猪防除装置では支柱の上端に太陽電池と中空筒状のケースを設け、このケースの側壁に複数個の発光ダイオードと音孔と昼夜センサを設けるとともに内部にスピーカを設けており、昼夜センサにより昼夜間の動作を切替えて、夜間になると、付属の二次電池を電源として犬の鳴き声を出し、同時に発光ダイオードによる光の点滅を行い、この装置を支柱により畠の周りに立てるから、猪を畠に寄せつけず、昼間は太陽電池により二次電池を充電し、このようにして自動的に動作して猪を寄せつけないようにする。【０００５】
【特許文献１】  特開２００４−２２２５６６号公報
【特許文献２】  実開昭６３−５８５７８号公報
【発明の開示】
【発明が解決しようとする課題】
【０００６】  しかし、特許文献１記載の鳥獣の忌避撃退装置では、夜間に常時きらきら光らせるものであるので、害獣が慣れてしまい効果が長続きしない。【０００７】  また、特許文献２記載の猪防除装置では、夜間この装置から発せられる猪の嫌いな犬の鳴き声と発光ダイオードの点滅を行うことにより猪の侵入を防除しようとしているが、発光ダイオードの点滅では生き物の目のような錯誤または錯覚を与える配慮がされていないので、一時的で猪の侵入を防除するための威嚇効果も長続きしない。【０００８】  本発明は上記問題点を解消し、農作物、物品、人体等を害獣の被害からより効果的に守る害獣威嚇装置を提供することを目的とする。
【課題を解決するための手段】
【０００９】  本発明の害獣威嚇装置は、２個のＬＥＤ素子が所定間隔で対となった発光部と、前記発光部の電源となる電源部と、支柱間に張架してあって前記電源部の電力を送電する電源ケーブルと、電力を送電しかつ前記発光部を吊り下げる吊り具と、害獣の接近を検出するセンサと、前記センサからの信号にもとづいて前記発光部への通電を制御する制御回路部とを備え、害獣の接近を前記センサにより検出した際に前記発光部を点灯させて前記発光部が目のような光に見えてしかも風などで揺らぐのでより効果のよい害獣を威嚇することができる。【００１０】  本発明の害獣威嚇装置は、２個のＬＥＤ素子が所定間隔で対となった発光部と、警報を発生する表音部と、前記発光部および表音部の電源となる電源部と、支柱間に張架してあって前記電源部の電力を送電する電源ケーブルと、電力を送電しかつ前記発光部を吊り下げる吊り具と、害獣の接近を検出するセンサと、前記センサからの信号にもとづいて前記発光部への通電を制御する制御回路部とを備え、害獣の接近を前記センサにより検出した際に前記発光部を点灯させて前記発光部が生き物の目のような光に見えてしかも風などで揺らいでさらには表音部を作動させて警報を発声させてより効果のよい害獣を威嚇することができる。【００１１】  さらに、本発明の害獣威嚇装置は、前記発光部を害獣に対してＬＥＤ素子を３０ｍｍから４０ｍｍ間隔で対として生き物の目と錯誤させるようにすることができる。【００１２】  さらに、本発明の害獣威嚇装置は、前記発光部を複数個とし、各発光部が４００ｍｍ〜８００ｍｍ間隔で吊り具を介して吊り下げて生き物の目と錯誤または錯覚させるようにすることができる。【００１３】  さらに、本発明の害獣威嚇装置は、前記センサを赤外線センサで構成し発光部の少なくともひとつに設けて害獣の接近を有効に検出することができる。
【発明の効果】
【００１４】  本発明の害獣威嚇装置は、発光部が風などで揺らいで電源ケーブルにより害獣の通り道に横断するように設置することができるとともに、生き物の目と錯誤または錯覚させるので、害獣が近づいてくるのを阻止して効果のよい威嚇を長くすることができる。
【発明を実施するための最良の形態】
【００１５】  本発明の実施例を図面に基づいて以下、説明する。【００１６】  図１において、発光部１が複数個で、各発光部が４００ｍｍ〜８００ｍｍ間隔で吊り具３を介して電源ケーブル２に吊り下げられて害獣の通る道に配置されている。この発光部１は２個の赤色のＬＥＤ素子１１、１１はピッチＰが３０ｍｍから４０ｍｍ間隔で対となって構成し、１対または２対で構成する。電源部５は発光部１および後述する表音部７の電源で、発光部１へ電力を送電する電源ケーブル２の一端が電源部５に接続されている。電源ケーブル２は支柱４Ａと支柱４Ｂとに害獣の通る道を横断するように張架されている。支柱４Ａには山林や農地などの地上面Ｇから浮き上がるように支柱４Ａおよび４Ｂは木など設置場所にあるものであるが、本実施例では電源部５から電力を送電する電源ケーブル２の端部を利用している。吊り具３は電源ケーブル２を分岐させて送電と吊り下げとを兼用している。この場合、地上面ＧからＬＥＤ素子１１、１１までの高さを４０ｃｍから６０ｃｍに設定すれば、害獣が生き物の目と錯誤または錯覚しやすくできる。しかもこの高さを高低変化させれば、さらに効果がでる。なお、電源ケーブル２を支柱４Ａと支柱４Ｂとの間に張架するに際しては、補強ワイヤを並設して電源ケーブル２を補強してもよい。同様に、吊り具３については電源ケーブル２のみでなく補強ワイヤを並設することにより補強してもよい。【００１７】  図２は夜間に猪や鹿等の害獣が複数個（図では３個）の発光部１に近づいて、三対のＬＥＤ素子１１、１１が地上面Ｇから浮き上がって生き物の目のように錯誤または錯覚することにより、害獣がこれ以上近寄らないようにした状態を示す。一部の発光部１に害獣の存在を検出するセンサ６が設けられており、センサ６の検出信号によりＬＥＤ素子１１、１１を所定時間、点灯するようにしている。例えば、３個の発光部１が横並びに配置する場合には、２番目の発光部１に設けたセンサ６にて害獣の存在を検出する。この場合、センサ６は害獣の体温すなわち赤外線を感知する温度センサが望ましい。なお、センサ６を発光部１のみに設けるものでなく電源部５に設けてもよい。【００１８】  図３、図４、図７および図８において、発光部１の赤色のＬＥＤ素子１１、１１は電子回路基板１２の両面ですなわちそれぞれの面においてピッチＰは３０ｍｍから４０ｍｍ間隔で実装されている。更に、ＬＥＤ素子１１、１１は図８に示すように電子回路基板１２を介してピッチＰが３０ｍｍから４０ｍｍ間隔で実装されているので、ひとつの電子回路基板１２に２対のＬＥＤ素子１１、１１を有する発光部１を構成している。電子回路基板１２の上端部にはＬＥＤ素子１１、１１と電気接続された端子１３が形成されている。電子回路基板１２は透光性のある合成樹脂製の一端開口のケース本体１００に収容され、蓋１０１で螺着されている。蓋１０１には吊り具３がシーリング１０３を介して挿入されている。吊り具３の先端にはコネクタ３Ａを有し、コネクタ３Ａが電子回路基板１２の端子１３に接続されており、電源部５から電源ケーブル２を介して電力がＬＥＤ素子１１、１１に送電される。コネクタ３Ａは複数の発光部１を電源ケーブル２への接続による増設を可能���し、害獣に対して威嚇を行いたい領域に合わせて自由に発光部１を設置可能とする。また、ケース本体１００の底部には湿気を取り除く空気孔１０２が（図では２個）設けられている。【００１９】  図５、図６、図９および図１０において、図３、図４、図７および図８と同様の構成であるが、電子回路基板１２の片面には上記センサ６が設けられており、白色のＬＥＤ素子１１、１１および端子１３と電気接続されている。また、ケース本体１００にはセンサ６の対応位置に窓１０３が形成されている。【００２０】  図１１は害獣の接近を検出して威嚇する回路構成を示す。太陽電池８からの最大定格電圧より大きい電圧が印加されることを防止する充電制御回路８Ａを介して充電池９に充電されて電源部５の電源となっている。充電池９は太陽電池８に発生した電気エネルギーを蓄えるとともにセンサ６および制御回路部１０を介して発光部１と表音部７に電力を供給する。この制御回路部１０は駆動スイッチ回路１０Ａとタイマ回路１０Ｂとを有する。いいま、害獣が近づいたことをセンサ６で検知すると、センサ６にて検出した信号は制御回路部１０に送られて制御回路部１０の駆動スイッチ回路１０Ａで発光部１および表音部７を駆動し、タイマ回路１０Ｂにて所定時間経過すれば発光部１および表音部７の駆動を停止する。【００２１】  上記回路構成における電源部５を図１にもとづいて説明する。電源部５には電源ボックス５１の上面に太陽電池８と下方に支柱杭５２が設けられており、電源部５の全体が支柱４Ａとなっている。電源ボックス５１には太陽電池８から充電される充電池９、充電制御回路８Ａ、制御回路部１０および表音部７が収容されており、電源ケーブル２の一端が接続されている。なお、充電される充電池９は太陽電池８以外に風力発電や地熱発電さらには動力エンジンをエネルー源としてもよい。【００２２】  表音部７は電源部５を電源としセンサ６により害獣を認識すれば、所定時間、警報を発するものである。表音部７の構成は超音波発生器により２波以上の超音波を混合し超音波を発生させて害獣を威嚇してもよい。例えば、前記超音波発生器が発生させる周波数は１８ｋＨｚから２０ｋＨｚ、２０ｋＨｚから２２ｋＨｚ、２２ｋＨｚから２４ｋＨｚ、２４ｋＨｚから２６ｋＨｚの４種の組み合わせで警報する。さらには、所定時間の間隔で２波以上の周波数組み合わせをランダム、もしくはプログラムされた通りで行うようにしてもよい。【００２３】  また、図示しないが、電源部５には小型モータもしくは小型ソレノイドを有し前記センサ６にて害獣を検知した際には小型モータもしくは小型ソレノイドを所定時間、駆動させることにより、発光部１に振動を与えて電源ケーブル２にその振動を伝達して発光部１を揺らすことにより威嚇効果を高めることができるようにしてもよい。
【図面の簡単な説明】
【００２４】
【図１】  本発明の実施例を示す概略図である。
【図２】  同上で害獣が近づいた際の概略図である。
【図３】  本発明の発光部の実施例を示す正面図である。
【図４】  同上の斜視図である。
【図５】  本発明のセンサが設けられた発光部の実施例を示す正面図である。
【図６】  同上の斜視図である。
【図７】  本発明の電子回路基板にＬＥＤ素子が実装された実施例を示しケース本体を省略した正面図である。
【図８】  同上の側面図である。
【図９】  本発明の電子回路基板にＬＥＤ素子とセンサが実装された実施例を示しケース本体を省略した正面図である。
【図１０】  同上の側面図である。
【図１１】  本発明の実施例を示す回路構成図である。
【符号の説明】
【００２５】    １  発光部
２  電源ケーブル
３  吊り具
４Ａ、４Ｂ  支柱
５  電源部
６  センサ
７  表音部
【図１】
2008092937.tif 000003
【図２】
2008092937.tif 000004
【図３】
2008092937.tif 000005
【図４】
2008092937.tif 000006
【図５】
2008092937.tif 000007
【図６】
2008092937.tif 000008
【図７】
2008092937.tif 000009
【図８】
2008092937.tif 000010
【図９】
2008092937.tif 000011
【図１０】
2008092937.tif 000012
【図１１】
2008092937.tif 000013
【手続補正書】
【提出日】平成19年11月19日(2007.11.19)
【手続補正１】
【補正対象書類名】特許請求の範囲
【補正対象項目名】全文
【補正方法】変更
【補正の内容】
【特許請求の範囲】
【請求項１】
２個のＬＥＤ素子が３０ｍｍから４０ｍｍ間隔で対となった発光部と、前記発光部の電源となる電源部と、支柱間に張架してあって前記電源部の電力を送電する電源ケーブルと、前記電源ケーブルから電力が送電されかつ前記電源ケーブルに前記発光部を吊り下げる吊り具と、害獣の接近を検出するセンサと、前記センサからの信号にもとづいて前記発光部への通電を制御する制御回路部とを備え、害獣の接近を前記センサにより検出した際に前記発光部を点灯させて害獣を威嚇することを特徴とする害獣威嚇装置。
【請求項２】
２個のＬＥＤ素子が３０ｍｍから４０ｍｍ間隔で対となった発光部と、警報を発生する表音部と、前記発光部および表音部の電源となる電源部と、支柱間に張架してあって前記電源部の電力を送電する電源ケーブルと、前記電源ケーブルから電力が送電されかつ前記電源ケーブルに電力を送電しかつ前記発光部を吊り下げる吊り具と、害獣の接近を検出するセンサと、前記センサからの信号にもとづいて前記発光部への通電を制御する制御回路部とを備え、害獣の接近を前記センサにより検出した際に前記発光部を点灯させるとともに表音部を作動させて警報を発声させて害獣を威嚇することを特徴とする害獣威嚇装置。
【請求項３】
前記発光部を複数個とし、各発光部が４００ｍｍ〜８００ｍｍ間隔で地上面から前記ＬＥＤ素子までの高さを４０ｃｍから６０ｃｍとして設定して吊り具を介して吊り下げて生き物の目と錯誤させるようにすることを特徴とする請求項１または請求項２に記載の害獣威嚇装置。
【請求項４】
前記センサを赤外線センサで構成し発光部の少なくともひとつに設けてなることを特徴とする請求項１乃至請求項３の何れかひとつに記載の害獣威嚇装置。
【手続補正２】
【補正対象書類名】明細書
【補正対象項目名】全文
【補正方法】変更
【補正の内容】
【発明の詳細な説明】
【技術分野】
【０００１】  本発明は、猪や鹿等の害獣に対する威嚇装置に関する。
【背景技術】
【０００２】  猪や鹿等の害獣が果樹園や田畑を荒らしたり家屋内等に侵入することを防いで、農作物、物品、人体等を害獣の被害から守るためのより効果的な装置が望まれている。【０００３】  特許文献１のように広い範囲にわたってもぐらや鳥、猪などが田畑に侵入するのを防止する鳥獣の忌避撃退装置を提供するために、地面に立設される支柱部材に振子部材と羽根部材を糸体で吊り下げられた状態に構成し、羽根部材が風を受けて自在に揺動すると、振子部材が支柱部材の縦筒部材の内面を叩きその衝撃により発生する振動音を地中に伝搬させて、もぐらや鳥、猪等の鳥獣を脅して撃退する。さらに、羽根部材の蛍光塗料の塗布で構成される発光部で蓄光作用により夜間きらきら光らせて、猪や鹿等の夜行性動物の撃退を行う。【０００４】  特許文献２のように猪防除装置では支柱の上端に太陽電池と中空筒状のケースを設け、このケースの側壁に複数個の発光ダイオードと音孔と昼夜センサを設けるとともに内部にスピーカを設けており、昼夜センサにより昼夜間の動作を切替えて、夜間になると、付属の二次電池を電源として犬の鳴き声を出し、同時に発光ダイオードによる光の点滅を行い、この装置を支柱により畠の周りに立てるから、猪を畠に寄せつけず、昼間は太陽電池により二次電池を充電し、このようにして自動的に動作して猪を寄せつけないようにする。【０００５】
【特許文献１】  特開２００４−２２２５６６号公報
【特許文献２】  実開昭６３−５８５７８号公報
【発明の開示】
【発明が解決しようとする課題】
【０００６】  しかし、特許文献１記載の鳥獣の忌避撃退装置では、夜間に常時きらきら光らせるものであるので、害獣が慣れてしまい効果が長続きしない。【０００７】  また、特許文献２記載の猪防除装置では、夜間この装置から発せられる猪の嫌いな犬の鳴き声と発光ダイオードの点滅を行うことにより猪の侵入を防除しようとしているが、発光ダイオードの点滅では生き物の目のような錯誤または錯覚を与える配慮がされていないので、一時的で猪の侵入を防除するための威嚇効果も長続きしない。【０００８】  本発明は上記問題点を解消し、農作物、物品、人体等を害獣の被害からより効果的に守る害獣威嚇装置を提供することを目的とする。
【課題を解決するための手段】
【０００９】  本発明の害獣威嚇装置は、２個のＬＥＤ素子が３０ｍｍから４０ｍｍ間隔で対となった発光部と、前記発光部の電源となる電源部と、支柱間に張架してあって前記電源部の電力を送電する電源ケーブルと、前記電源ケーブルから電力が送電されかつ前記電源ケーブルに前記発光部を吊り下げる吊り具と、害獣の接近を検出するセンサと、前記センサからの信号にもとづいて前記発光部への通電を制御する制御回路部とを備え、害獣の接近を前記センサにより検出した際に前記発光部を点灯させて前記発光部が目のような光に見えてしかも風などで揺らぐのでより効果のよい害獣を威嚇することができる。【００１０】  本発明の害獣威嚇装置は、２個のＬＥＤ素子が３０ｍｍから４０ｍｍ間隔で対となった発光部と、警報を発生する表音部と、前記発光部および表音部の電源となる電源部と、支柱間に張架してあって前記電源部の電力を送電する電源ケーブルと、前記電源ケーブルから電力が送電されかつ前記電源ケーブルに電力を送電しかつ前記発光部を吊り下げる吊り具と、害獣の接近を検出するセンサと、前記センサからの信号にもとづいて前記発光部への通電を制御する制御回路部とを備え、害獣の接近を前記センサにより検出した際に前記発光部を点灯させて前記発光部が生き物の目のような光に見えてしかも風などで揺らいでさらには表音部を作動させて警報を発声させてより効果のよい害獣を威嚇することができる。【００１１】  さらに、本発明の害獣威嚇装置は、記発光部を複数個とし、各発光部が４００ｍｍ〜８００ｍｍ間隔で地上面から前記ＬＥＤ素子までの高さを４０ｃｍから６０ｃｍとして設定して吊り具を介して吊り下げて生き物の目と錯誤させるようにすることができる。【００１２】  さらに、本発明の害獣威嚇装置は、前記センサを赤外線センサで構成し発光部の少なくともひとつに設けて害獣の接近を有効に検出することができる。
【発明の効果】
【００１３】  本発明の害獣威嚇装置は、発光部が風などで揺らいで電源ケーブルにより害獣の通り道に横断するように設置することができるとともに、２個のＬＥＤ素子が３０ｍｍから４０ｍｍ間隔で生き物の目と錯誤または錯覚させるので、害獣が近づいてくるのを阻止して効果のよい威嚇を長くすることができる。
【発明を実施するための最良の形態】
【００１４】  本発明の実施例を図面に基づいて以下、説明する。【００１５】  図１において、発光部１が複数個で、各発光部が４００ｍｍ〜８００ｍｍ間隔で吊り具３を介して電源ケーブル２に吊り下げられて害獣の通る道に配置されている。この発光部１は２個の赤色のＬＥＤ素子１１、１１はピッチＰが３０ｍｍから４０ｍｍ間隔で対となって構成し、１対または２対で構成する。電源部５は発光部１および後述する表音部７の電源で、発光部１へ電力を送電する電源ケーブル２の一端が電源部５に接続されている。電源ケーブル２は支柱４Ａと支柱４Ｂとに害獣の通る道を横断するように張架されている。支柱４Ａには山林や農地などの地上面Ｇから浮き上がるように支柱４Ａおよび４Ｂは木など設置場所にあるものであるが、本実施例では電源部５から電力を送電する電源ケーブル２の端部を利用している。吊り具３は電源ケーブル２を分岐させて送電と吊り下げとを兼用している。この場合、地上面ＧからＬＥＤ素子１１、１１までの高さを４０ｃｍから６０ｃｍに設定すれば、害獣が生き物の目と錯誤または錯覚しやすくできる。しかもこの高さを高低変化させれば、さらに効果がでる。なお、電源ケーブル２を支柱４Ａと支柱４Ｂとの間に張架するに際しては、補強ワイヤを並設して電源ケーブル２を補強してもよい。同様に、吊り具３については電源ケーブル２のみでなく補強ワイヤを並設することにより補強してもよい。【００１６】  図２は夜間に猪や鹿等の害獣が複数個（図では３個）の発光部１に近づいて、三対のＬＥＤ素子１１、１１が地上面Ｇから浮き上がって生き物の目のように錯誤または錯覚することにより、害獣がこれ以上近寄らないようにした状態を示す。一部の発光部１に害獣の存在を検出するセンサ６が設けられており、センサ６の検出信号によりＬＥＤ素子１１、１１を所定時間、点灯するようにしている。例えば、３個の発光部１が横並びに配置する場合には、２番目の発光部１に設けたセンサ６にて害獣の存在を検出する。この場合、センサ６は害獣の体温すなわち赤外線を感知する温度センサが望ましい。なお、センサ６を発光部１のみに設けるものでなく電源部５に設けてもよい。【００１７】  図３、図４、図７および図８において、発光部１の赤色のＬＥＤ素子１１、１１は電子回路基板１２の両面ですなわちそれぞれの面においてピッチＰが３０ｍｍから４０ｍｍ間隔で実装されている。更に、ＬＥＤ素子１１、１１は図８に示すように電子回路基板１２を介してピッチＱが３０ｍｍから４０ｍｍ間隔で実装されているので、ひとつの電子回路基板１２に二対のＬＥＤ素子１１、１１を有する発光部１を構成している。電子回路基板１２の上端部にはＬＥＤ素子１１、１１と電気接続された端子１３が形成されている。電子回路基板１２は透光性のある合成樹脂製の一端開口のケース本体１００に収容され、蓋１０１で螺着されている。蓋１０１には吊り具３がシーリング１０３を介して挿入されている。吊り具３の先端にはコネクタ３Ａを有し、コネクタ３Ａが電子回路基板１２の端子１３に接続されており、電源部５から電源ケーブル２を介して電力がＬＥＤ素子１１、１１に送電される。コネクタ３Ａは複数の発光部１を電源ケーブル２への接続による増設を可能���し、害獣に対して威嚇を行いたい領域に合わせて自由に発光部１を設置可能とする。また、ケース本体１００の底部には湿気を取り除く空気孔１０２が（図では２個）設けられている。【００１８】  図５、図６、図９および図１０において、図３、図４、図７および図８と同様の構成であるが、電子回路基板１２の片面には上記センサ６が設けられており、白色のＬＥＤ素子１１、１１および端子１３と電気接続されている。また、ケース本体１００にはセンサ６の対応位置に窓１０３が形成されている。【００１９】  図１１は害獣の接近を検出して威嚇する回路構成を示す。太陽電池８からの最大定格電圧より大きい電圧が印加されることを防止する充電制御回路８Ａを介して充電池９に充電されて電源部５の電源となっている。充電池９は太陽電池８に発生した電気エネルギーを蓄えるとともにセンサ６および制御回路部１０を介して発光部１と表音部７に電力を供給する。この制御回路部１０は駆動スイッチ回路１０Ａとタイマ回路１０Ｂとを有する。いいま、害獣が近づいたことをセンサ６で検知すると、センサ６にて検出した信号は制御回路部１０に送られて制御回路部１０の駆動スイッチ回路１０Ａで発光部１および表音部７を駆動し、タイマ回路１０Ｂにて所定時間経過すれば発光部１および表音部７の駆動を停止する。【００２０】  上記回路構成における電源部５を図１にもとづいて説明する。電源部５には電源ボックス５１の上面に太陽電池８と下方に支柱杭５２が設けられており、電源部５の全体が支柱４Ａとなっている。電源ボックス５１には太陽電池８から充電される充電池９、充電制御回路８Ａ、制御回路部１０および表音部７が収容されており、電源ケーブル２の一端が接続されている。なお、充電される充電池９は太陽電池８以外に風力発電や地熱発電さらには動力エンジンをエネルー源としてもよい。【００２１】  表音部７は電源部５を電源としセンサ６により害獣を認識すれば、所定時間、警報を発するものである。表音部７の構成は超音波発生器により２波以上の超音波を混合し超音波を発生させて害獣を威嚇してもよい。例えば、前記超音波発生器が発生させる周波数は１８ｋＨｚから２０ｋＨｚ、２０ｋＨｚから２２ｋＨｚ、２２ｋＨｚから２４ｋＨｚ、２４ｋＨｚから２６ｋＨｚの４種の組み合わせで警報する。さらには、所定時間の間隔で２波以上の周波数組み合わせをランダム、もしくはプログラムされた通りで行うようにしてもよい。【００２２】  また、図示しないが、電源部５には小型モータもしくは小型ソレノイドを有し前記センサ６にて害獣を検知した際には小型モータもしくは小型ソレノイドを所定時間、駆動させることにより、発光部１に振動を与えて電源ケーブル２にその振動を伝達して発光部１を揺らすことにより威嚇効果を高めることができるようにしてもよい。
【図面の簡単な説明】
【００２３】
【図１】  本発明の実施例を示す概略図である。
【図２】  同上で害獣が近づいた際の概略図である。
【図３】  本発明の発光部の実施例を示す正面図である。
【図４】  同上の斜視図である。
【図５】  本発明のセンサが設けられた発光部の実施例を示す正面図である。
【図６】  同上の斜視図である。
【図７】  本発明の電子回路基板にＬＥＤ素子が実装された実施例を示しケース本体を省略した正面図である。
【図８】  同上の側面図である。
【図９】  本発明の電子回路基板にＬＥＤ素子とセンサが実装された実施例を示しケース本体を省略した正面図である。
【図１０】  同上の側面図である。
【図１１】  本発明の実施例を示す回路構成図である。
【符号の説明】
【００２４】  １  発光部
２  電源ケーブル
３  吊り具
４Ａ、４Ｂ  支柱
５  電源部
６  センサ
７  表音部
【手続補正３】
【補正対象書類名】図面
【補正対象項目名】図８
【補正方法】変更
【補正の内容】
【図８】
2008092937.tif 000014
【手続補正４】
【補正対象書類名】図面
【補正対象項目名】図１０
【補正方法】変更
【補正の内容】
【図１０】
2008092937.tif 000015